Podtech/llm-jp-corpus-v4-ja_patent huggingface dataset:
(57)【要約】【課題】    従来の調理器においては、水槽内の水を１００セルシウス温度以下の所定の温度に保ち、食材に真空包装を施し前記水槽内で湯煎することにより所定の温度に加熱できることが知られている。しかしながら、食材の真空包装に手間がかかる、大がかりな真空包装装置を必要とするという課題があった。【解決手段】  食材を、１００セルシウス温度以下の所定の温度に維持された熱放射板および熱反射板で取り囲むと、熱放射板からの放射および熱反射板で反射された放射を食材が吸収し、食材の温度は上昇する。食材温度の上昇により熱放射板との温度差が減少すると熱の流入速度が低下し、食材の温度は熱放射板の温度、すなわち所定の温度に漸近する。放射による加熱では食材表面に何も接しないので真空包装は不要となる。【選択図】図１
2020178854.tif 000002
【特許請求の範囲】
【請求項１】
食材を収納する調理室と、前記調理室の内面の全部あるいは一部に熱放射板と、前記熱放射板を加熱する加熱手段と、前記熱放射板の温度を検知する温度検知手段と、前記温度検知手段により検知された温度をもとに前記加熱手段の加熱量を制御して前記熱放射板の温度を１００セルシウス温度以下の所定の温度に維持する制御手段を備え、前記熱放射板からの放射熱により食材を加熱し、熱的な定常状態に達した時点で食材の任意の部位と前記熱放射板の温度差が５セルシウス度以下となることを特徴とする調理器。
【請求項２】
前記調理室の内面の一部に熱放射板を備えるとき、熱放射板を備えた部分以外の内面に反射率０．８以上の熱反射板を備えることを特徴とする請求項1に記載の調理器。
【発明の詳細な説明】
【技術分野】
【０００１】
本発明は、食材を所定の温度に加熱するための調理器に関するものである。
【背景技術】
【０００２】
従来の調理器においては、水槽内の水を、ヒータおよび攪拌装置および温度検知器および温度制御装置により１００セルシウス温度以下の所定の温度に保ち、食材に真空包装を施し前記水槽内で湯煎することにより所定の温度に加熱できることが知られている。
【先行技術文献】
【特許文献】
【０００３】
【特許文献１】特開２０１４−１５７８２０号公報
【発明の概要】
【発明が解決しようとする課題】
【０００４】
しかしながら、食材の真空包装には十分な脱気を行うために手間がかかる、あるいは真空排気機能を有する大がかりな真空包装装置を必要とするという課題があった。
【課題を解決するための手段】
【０００５】
本発明の請求項１に係る発明の調理器は、食材を置く調理室と、前記調理室の内面の全部あるいは一部に熱放射板と、前記熱放射板を加熱する加熱手段と、前記熱放射板の温度を検知する温度検知手段と、前記温度検知手段により検知された温度をもとに前記加熱手段の加熱量を加減して前記熱放射板の温度を１００セルシウス温度以下の所定の温度に維持する制御手段とを備え、前記熱放射板からの放射熱により食材を加熱し、熱的な定常状態に達した時点での食材の任意の部位と前記熱放射板の温度差が５セルシウス度以下となることを特徴とする。
【０００６】
また、請求項２に係る発明の調理器は、請求項1に記載の発明に加え、前記調理室の内面の一部に熱放射板を備えるとき、熱放射板以外の内面に反射率０．８以上の熱反射板を備えることを特徴とする。
【発明の効果】
【０００７】
調理室内面の、所定の温度に保たれた熱放射板の温度が食材の表面温度よりも高い場合、熱放射板からの放射を食材が吸収し、食材に熱が流入する。熱の流入速度は、近似的に熱放射板温度と食材表面温度の差に比例する。熱の流入により食材の温度が上昇すると、熱放射板との温度差が減少し、熱の流入速度が低下するので、温度の上昇速度も低下し、食材の温度は熱放射板の温度、すなわち所定の温度に漸近する。請求項1に係る発明の調理器では、熱放射・吸収により食材を所定の温度まで加熱する。
【０００８】
また、請求項２に係る発明の調理器は、請求項１に記載の発明において熱放射板を備えない調理室内面に熱反射板を備えるもので、調理室内面熱放射板からの熱放射を反射することにより、あたかも調理室の全内面が熱放射板であるような熱的環境を実現する。
【０００９】
湯煎による熱伝導を利用する従来の調理器では食材の真空包装が必要であるが、放射による加熱では食材表面に何も接しないので、本発明の調理器では食材の真空包装が不要となる。
【図面の簡単な説明】
【００１０】
【図１】図１は本発明の実施の形態に係る調理器の斜視図である。（実施例）
【図２】図２は本発明の実施の形態に係る調理器の断面概略図である。（実施例）
【発明を実施するための形態】
【００１１】
以下、本発明の実施の形態に係る調理器について、図面を用いて説明する。ただし、図の実施形態は例示を目的としたものであって、開示範囲の限定を意図するものではない。
【実施例】
【００１２】
図１の調理器において調理室１は熱放射板を兼ねていて、熱放射面２には熱放射率を高める塗装が施されている。調理室１には天井はなく、食材５の出し入れはここから行う。
【００１３】
調理は断熱カバー３をかぶせた状態で行う。断熱カバーは底面に熱反射板４を備え、調理室１にかぶせると熱反射板４は調理室1の天井に位置する。
【００１４】
図２に示したように、調理室は底部に設置した加熱ヒータ８により加熱される。調理室底部には温度検知器７も設置されていて、温度が計測される。温度コントローラ６は計測された温度に基づいて加熱ヒータ８の電力を制御し、調理室１を１００セルシウス温度以下の所定の温度に維持する。
【００１５】
断熱カバー３をかぶせた状態では、調理室1の熱放射面２からの熱放射は、熱反射板４により反射され調理室内へ進み、あたかも食材５の周囲全面が熱放射面で囲まれたような熱的環境を実現する。その結果、食材５の温度は、調理室1の温度に漸近し、熱的な定常状態に達した時点では調理室１の温度、すなわち所定の温度にほぼ一致する。
【符号の説明】
【００１６】
１  調理室 （兼  熱放射板）
２  熱放射面（高熱放射率塗装面）
３  断熱カバー
４  熱反射板
５  食材
６  温度コントローラ
７  温度検知器
８  加熱ヒータ
【図１】
2020178854.tif 000003
【図２】
2020178854.tif 000004
(57)【要約】      （修正有）【課題】茶柱を入れて充填し、お茶を縁起よく飲めるようにする、お茶詰めのペットボトルの提供。【解決手段】ペットボトル１にお茶を充填する際、茶柱３を１本、または、複数本お茶に入れて密封することを特徴とする茶柱入りペットボトル。沈まないように加工した茶柱を混入する、前記茶柱入りペットボトル。【効果】縁起の良い茶柱を見て、また、飲んだ時、口に入れた感触で壮快になり、さわやかな気分で過ごすことができる。【選択図】図１
2020178674.tif 000002
【特許請求の範囲】
【請求項１】
ペットボトルにお茶を充填する際、茶柱を１本、または、複数本をお茶に入て密封したことを特徴とする茶柱入りペットボトル。
【請求項２】
茶柱は、ペットボトルが透明、不透明、または、レッテルの有無に係らず、すべてのペットボトルに入れることを特徴とする請求項１記載の茶柱入りペットボトル。
【請求項３】
茶柱には、沈まないように加工した茶柱を混入したことを特徴とする請求項１記載の茶柱入りペットボトル。
【請求項４】
ペットボトルに、沈まないように加工した茶柱のみ、１本、または、複数本密封したことを特徴とする茶柱入りペットボトル。
【発明の詳細な説明】
【技術分野】
【０００１】  本発明は、茶柱入りペットボトルに関する。
【背景技術】
【０００２】  現在のお茶入りペットボトルは、お茶のみが入っているため、何だか、もの足りない。
【発明の概要】
【発明が解決しようとする課題】
【０００３】  ペットボトルのお茶を、壮快な気分で飲めるようにすることを目的とする。
【課題を解決するための手段】
【０００４】  本発明は、ペットボトルにお茶を充填する際、茶柱を１本または、複数本をお茶内に入れて密封したものである。
また、茶柱は、ペットボトルが、透明、不透明、または、レッテルの有無に係らず、すべてのペットボトルに入れるものである。
【発明の効果】
【０００５】  本発明は、お茶入りのペットボトルに茶柱を入れたので、縁起が良い茶柱を見て、また、飲んだ時、口に入った感触で壮快になり、今日一日、さわやかな気分で過ごすことができる。
したがって、ペットボトルが、透明、不透明、また、レッテルの有無に係らず、いつ、茶柱が出るか、期待を込めて飲むことができるので、水分補給を適切に行うことができる。
なお、飲む前に、ペットボトルの上下を反転すれば、茶柱は分散するので、飲むごとに壮快な気分になる。また、茶柱中に、沈まない茶柱を混入すれば、茶柱は、図１のように分散するので、飲むごとに、更に、壮快な気分になる。
【図面の簡単な説明】
【０００６】
【図１】  本発明の正面図
【発明を実施するための形態】
【０００７】  透明または、不透明のペットボトルにお茶を充填する際、茶柱を１本、または、複数本をお茶内に入れて密封している。
また、茶柱は、ペットボトルが透明、不透明、または、レッテルの有無に係らずすべてのペットボトルに入れて密封している。
なお、茶柱には、沈まないように加工した茶柱を混入するか、ペットボトルに沈まないように加工した茶柱のみ、１本または、複数本密封している。
【符号の説明】
【０００８】１    ペットボトル
２    レッテル
３    茶柱
【図１】
2020178674.tif 000003
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
お茶を充填して密栓するお茶入りペットボトルにおいて、お茶に茶柱を１本または複数本入れて密栓したことを特徴とする茶柱入りペットボトル。
【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
お茶を充填して密栓するお茶入りペットボトルにおいて、該お茶に茶柱を１本または複数本入れて密栓したことを特徴とする茶柱入りペットボトル。
(57)【要約】【課題】本発明は、ヘアドライヤー使用時やブラッシング時に脱毛が床に散乱していた脱毛を容易に快適に収集する道具を提供する。【解決手段】本発明に係る毛髪収集シートは、表面と裏面が縁部で画されたシートにおいて、前記シートの表面の縁部に沿って粘着部と非粘着部が交互に配置され、前記シートの裏面重心付近に粘着部が設けられている毛髪収集シートであって、前記粘着部に前記非粘着部が重なるように折り畳み可能である。【選択図】図1
2020178907.tif 000002
【特許請求の範囲】
【請求項１】
表面と裏面が縁部で画されたシートにおいて、前記シートの表面の縁部に沿って粘着部と非粘着部が交互に配置され、前記シートの裏面重心付近に粘着部が設けられている毛髪収集シートであって、前記粘着部に前記非粘着部が重なるように折り畳み可能な毛髪収集シート。
【請求項２】
前記シートは、薄い紙で形成されている請求項1に記載の粘着部付シート
【請求項３】
前記粘着部には、前記非粘着部と剥離可能な接着剤が塗布されている、請求項１に記載の粘着部付シート。
【請求項４】
前記シートの表面には、柄が印刷されていることを特徴とする、請求項１に記載の粘着部付シート。
【請求項５】
前記シートの重心を通り、前記縁部の任意の1点と他点を結ぶ該シートの径が、少なくとも５０ｃｍ以上である、請求項１に記載の粘着部付シート。
【発明の詳細な説明】
【技術分野】
【０００１】
本発明は、粘着部付シートに関するものである。
【背景技術】
【０００２】
鏡台などでブラシにより髪を均す際に、多くの毛髪が鏡台や周辺の床に落ち、掃除するのが大変である。
【０００３】
特許文献１に係る接着剤を含む硬質表面清掃用物品は、大きな粒子及び毛髪を収集及び捕捉する効率性を向上させる特定のレオロジー特性を備えている接着剤を含み、具体的にはシート、拭取り布、又はパッドの形態であってよい。
【０００４】
しかし、この特許文献1の接着剤を含む硬質表面清掃用物品は、清掃用具であり、出し入れが面倒で、使用後毛髪や粒子が付着した面に直接触れなければならず不潔な作業を伴い、時間を要する。
【０００５】
【特許文献１】特表２００９−５１６５３０公報
【発明の概要】
【発明が解決しようとする課題】
【０００６】
そこで、本発明は、ヘアドライヤー使用時やブラッシング時に脱毛が床に散乱していた脱毛を容易に快適に収集する道具を提供する。
【課題を解決するための手段】
【０００７】
本発明に係る粘着部付きシートは、表面と裏面が縁部で画されたシートにおいて、前記シートの表面の縁部に、弱い粘着部と非粘着部が交互に配置され、前記シートの裏面重心付近に弱い粘着部が設けられている毛髪収集シートであって、弱い粘着部と非粘着部が重なるように折り畳み可能である。
【０００８】
本発明に係る前記シートは、薄い紙で形成されている。
【０００９】
本発明に係る前記シートは、前記粘着部に前記非粘着部と剥離可能な接着剤が塗布されている。
【００１０】
本発明に係る前記シートの前記粘着部は、貼っても容易に剥がせる粘着力が弱い接着剤を使用し、接着面が床や前記シートの非粘着部に付着しても、容易に剥がれるのが特徴である。
【００１１】
本発明に係る前記シートの表面には、柄が印刷されていることを特徴とする。
【００１２】
本発明に係る前記シートは、前記シートの重心を通り、前記縁部の任意の1点と他点を結ぶ該シートの径が、少なくとも５０ｃｍ以上である。
【００１３】
本発明に係る前記シートは、人が上に乗って使用した際に、周囲に十分な余白を有する大きさである。
【発明の効果】
【００１４】
本発明に係る粘着部付シートは、表面と裏面が縁部で画されたシートであるため、ヘアドライヤー使用時に足元に広げて使うことができ、脱毛がシート上に落下する為、脱毛が直接床に落ちない。
【００１５】
本発明に係る粘着部付シートは、表面に粘着部が配置されている為、使用後に捨てる際に、脱毛が床に滑り落ちることがない。
【００１６】
本発明に係る粘着部付シートは、裏面重心付近に粘着部がある為、滑り止め効果がある。
【００１７】
本発明に係る粘着部付シートは、裏面重心付近に粘着部が配置されている為、使用後捨てる際に、シートの周囲に落ちた脱毛をその粘着部を使って付着させ、絡めて捨てることができる。
【００１８】
本発明に係る粘着部付シートは、粘着部が非粘着部と交互に配置されていて、粘着度が弱い為、折り畳んでコンパクトに収納でき、携帯して持ち運ぶことができる。
【００１９】
本発明に係る粘着部付シートは、粘着部が非粘着部と交互に配置されていて、粘着度が弱い為、折り畳んで収納されていても、容易に広げることができる。
【００２０】
本発明に係る粘着部付シートは、薄い紙で形成されている為、小さく圧縮して捨てることができる。
【図面の簡単な説明】
【００２１】
【図１】本発明に係る粘着部付きシートの表面図。
【図２】本発明に係る粘着部付きシートの裏面図。
【発明を実施するための形態】
【００２２】
以下、図面を参照しながら本発明に係る粘着部付きシートの実施形態について説明する。
なお、以下、各図面を通して同一の構成要素には同一の符号を使用するものとする。
【００２３】
本発明に係る粘着部付きシートは、図１の符号１０、図２の符号１１に示すように、表面と裏面が縁部で画されたシートにおいて、図１のように表面の縁部に符号１のような粘着部と符号２のような非粘着部が交互に配置され、図２のようにの裏面重心付近に符号４のような粘着部が設けられている毛髪収集シートであって、粘着部と非粘着部が重なるように折り畳み可能である。図１の符号３に示すように本発明に係る粘着部付きシートの表面には柄が印刷されている
【００２４】
図１に示すように本発明に係る粘着部付きシートの表面には符号１の粘着部と符号２の非粘着部が交互に配置されている。
【００２５】
図１の符号４に示すように本発明に係る粘着部付きシートの裏面重心付近には粘着部が設けられている
【００２６】
本発明に係るシートは、紙で形成されている。
【００２７】
本発明に係るシートは、図１の符号１、図２の符号４のように粘着部が配置されている。
【００２８】
本発明に係るシートの表面には、図１の符号３のように柄が印刷されていることを特徴とする。
【００２９】
本発明に係るシートは、人が上に乗って使用した際に、周囲に十分な余白を有する大きさである。
【００３０】
また、本発明に係るシート図１の表面、図２の裏面の本体部やこれに取付ける付属物、図１の符号１、図2の符号４の材料は、特に限定されず、適宜適切な材料を選択することが出来る。図１、図２の本体部や上記付属物のサイズや種類などに応じて設計変更可能である。
【００３１】
その他、本発明は、その主旨を逸脱しない範囲で当該者の知識に基づき種々の改良、修正、変更を加えた態様で実施できるものである。
【産業上の利用可能性】
【００３２】
本発明に係る粘着部付シートは、宿泊施設及び温浴施設、エステサロン及び一般家庭の洗面所または居室において、ヘアドライヤー使用時に利用することができる。
【符号の説明】
【００３３】
（１）：表面粘着部
（２）：表面非粘着部
（３）：表面柄
（４）：裏面粘着部
（１０）:表面縁部
（１１）:裏面縁部
【図１】
2020178907.tif 000003
【図２】
2020178907.tif 000004
(57)【要約】【課題】本発明は、非常時・災害時に他の場所から運んでくるのではなく、その場で使用可能で通常時は景観に寄与する貯留浸透槽兼災害用トイレの改良を提案する。 【解決手段】本発明は、貯留槽、浸透槽、隠蔽された災害用トイレから構成される貯留浸透槽兼災害用トイレであって、貯留槽の溢流水は浸透槽に流れ込み、災害用トイレは貯留槽上に設けられ、糞尿物は貯留槽内に設ける袋体に収容され、袋体の膨張は貯留槽の槽壁に沿って設けた帯水材ブロックにより妨げられる貯留浸透槽兼災害用トイレである。【選択図】図１
2020029656.tif 000002
【特許請求の範囲】
【請求項１】
貯留槽、浸透槽、隠蔽された災害用トイレから構成される貯留浸透槽兼災害用トイレであって、貯留槽の溢流水は浸透槽に流れ込み、災害用トイレは貯留槽上に設けられ、糞尿物は貯留槽内に設ける袋体に収容され、袋体の膨張は貯留槽の槽壁に沿って設けた帯水材ブロックにより妨げられる貯留浸透槽兼災害用トイレ。
【発明の詳細な説明】
【技術分野】
【０００１】
本発明は、不使用時には目立たなく災害時、非常時に使用可能となる貯留浸透槽兼災害用トイレ技術に属する。
【背景技術】
【０００２】
非常時もしくは災害時に使用する非常用トイレは、非常時を想定し貯蔵されたトイレユニットを必要とされる場所に運び、その場で組立て使用する方法が一般的である。（特開2007-154506）
帯水材を地下に複数配設しして貯留空間を形成し、その貯留空間の周囲を遮水シートで覆った貯留槽を区画して仕切り、その一部を災害用のトイレとして糞尿の一時貯留とする方法が出願人より提案されている。特開2009-041204は貯留槽を仕切って使用し、特開2009-185484は人孔をトイレとして利用している。
災害時に他の貯蔵場所から運んでくるのではなく、その場で使用可能で簡便な非常用トイレが求められている。その目的のため出願人により通常時には目立たない、景観に優れたトイレが提案されている。特開2010-259729
【先行技術文献】
【特許文献】
【０００３】
【特許文献１】特開2007-154506
【特許文献２】特開2009-041204
【特許文献３】特開2009-185484
【特許文献４】特開2010-259729
【発明の開示】
【発明が解決しようとする課題】
【０００４】
本発明は、非常時・災害時に他の場所から運んでくるのではなく、その場で使用可能で通常時は景観に寄与する貯留浸透槽兼災害用トイレの改良を提案する。
【課題を解決するための手段】
【０００５】
本発明は、貯留槽、浸透槽、隠蔽された災害用トイレから構成される貯留浸透槽兼災害用トイレであって、貯留槽の溢流水は浸透槽に流れ込み、災害用トイレは貯留槽上に設けられ、糞尿物は貯留槽内に設ける袋体に収容され、袋体の膨張は貯留槽の槽壁に沿って設けた帯水材ブロックにより妨げられる貯留浸透槽兼災害用トイレである。
【発明の効果】
【０００６】
本発明は、貯留槽、浸透槽、隠蔽された災害用トイレから構成される貯留浸透槽兼災害用トイレであって、災害用トイレは貯留槽上に設けられ、糞尿物は貯留槽内に設ける袋体に収容され、袋体の膨張は貯留槽の槽壁に沿って設けた帯水材ブロックにより妨げられ、袋体の膨張による貯留槽からの溢流水は浸透槽に流れ込む貯留浸透槽兼災害用トイレ（以下災害用トイレと称す。）であるため、以下の効果がある。
１  トイレがその場に隠蔽されているため、他の場所から資材を運ぶ手間なくその場で組立て非常用トイレとなる。
２  糞尿物を収納する袋体が膨張するに伴ない、貯留槽内の水が溢れる時は接続された透水槽から除去される。
３  糞尿を収納する袋体の膨張は、貯留槽の槽壁に沿って設けた帯水材ブロックにより妨げられるため、帯水材ブロック部に残存する水を水洗用、潅水用などに使用できる。
４  不使用時のトイレは隠蔽されているため、その隠蔽物を花壇など先行技術に記載のように使用できる。
【図面の簡単な説明】
【０００７】
【図１】は、本発明の災害用トイレの不使用時の状態を示す概念図である。
【図２】は、本発明の災害用トイレの使用時の状態を示す概念図である。
【図３】は、トイレの隠蔽の例を示す。
【図４】は、使用可能な帯水材ブロックの例を示す。
【発明を実施するための形態】
【０００８】
以下、本発明を図により説明する。
図１は災害用トイレの不使用時の状態を示す概念図である。
図1に示す通り、災害用トイレは貯留槽、浸透槽、隠蔽された災害用トイレから構成される。隠蔽された災害用トイレは、花壇、竈などに使用可能な形状とされ、通常時には花壇として目立たないようになっている。
図では貯留槽の両脇、あるいは囲むように浸透槽を設けて、貯留槽からの溢流水は浸透槽から地中に浸透する。
貯留槽の槽壁内部の槽壁周辺に帯水材ブロックが配設されている。
貯留槽の上部には災害用トイレが設置され、貯留槽内部に存在する糞尿を収納する袋体と連結可能とされている。不使用時の袋体にはトイレを組み立てるときに使用するテント、ポールなどが収納される。
【０００９】
図2に示すように、災害用トイレは遮蔽を除かれ、袋体に収納されたテンとポールなどを利用してトイレとして使用可能となる。
トイレからの糞尿は袋体に流入する。
袋体は、糞尿の集積により膨張し、貯留槽の槽壁まで膨張するが、貯留槽内壁周辺に設けられた帯水材ブロックによりそれ以上膨張することができない。
袋体の膨張に伴ない貯留槽内の水は貯留槽から溢流水として、浸透槽に流れ込み、浸透槽の周壁、底面に存在する透水シートを介して地中に浸透していく。
袋体が貯留槽内に配設した帯水材ブロックによってそれ以上膨張できない場合でも、貯留槽内壁と袋体との間には水が残り、トイレの水洗用、防火用水、渇水時の樹木などの散水に使用できるようになっている。
【００１０】
図３は、先行技術に開示された通常時、花壇として使用され、非常時は竈として使用可能な非常用トイレの概念図である。
【００１１】
図４は、本発明に使用する帯水材ブロックの例を示している。
雨水などの流出抑制用の槽の構築に使用されるブロックは原則利用可能であり、その一部を示すものである。
【産業上の利用可能性】
【００１２】
非常時、災害時にはトイレとして利用することができる。
【符号の説明】
【００１３】
１  非常用トイレ
２  貯留槽
３  袋体
４  ブロック
５  浸透槽
６  遮水シート
７  透水シート
【図１】
2020029656.tif 000003
【図２】
2020029656.tif 000004
【図３】
2020029656.tif 000005
【図４】
2020029656.tif 000006
(57)【要約】      （修正有）【課題】従来のPTP包装シートに薬材の使用者、管理者が任意に記載したい事項を思いついたとき、いちいち油性ペンを用意しなければ記載することができなかった。また、記載した内容もPTP包装シートの表面の光沢、模様等によって判別が難しかった。本発明は、以上のような欠点をなくすために、任意に記載したい事項を書き込めるように、シートの各薬材ごとに印刷加工したサインパネル部分を設けたPTP包装シートを提供する。【解決手段】PTP包装シート（１）の、薬材（２）ごとに割り振られた位置にサインパネル（３）を印刷加工し設けたPTP包装シートを特徴とする。【選択図】図１
2020029273.tif 000002
【特許請求の範囲】
【請求項１】
薬材（2）ごとに印刷加工したサインパネル（3）部分を設けたPTP包装シート（1）。
【発明の詳細な説明】
【技術分野】
【０００１】
この発明は、薬剤ごとに割り振られた位置に印刷加工されたサインパネルを持つPTP包装シートに関するものである。
【背景技術】
【０００２】
従来のPTP包装シートは、表面の材質が、ポリエチレン、ポリ塩化ビニル等の硬質で平滑な部分だけで形成されていた。
【発明の概要】
【発明が解決しようとする課題】
【０００３】
これは、次のような欠点があった。  
従来のPTP包装シートに薬材の使用者、管理者が任意に記載したい事項を思いついたとき、いちいち油性ペンを用意しなければ記載することができなかった。
また、記載した内容もPTP包装シートの表面の光沢、模様等によって判別が難しかった。
本発明は、以上のような欠点をなくすためになされたものである。
【課題を解決するための手段】
【０００４】
PTP包装シート（1）の、薬材（2）ごとに割り振られた位置にサインパネル（3）部分を印刷加工し設ける。
本発明は、以上の構成よりなる、サインパネル付きPTP包装シートである。
【発明の効果】
【０００５】
サインパネルが設置されているので、ボールペン、サインペン、鉛筆といった身の回りの多様な筆記具で即座に思いついたことを記載できる。
【０００６】
サインパネルの背景色により、書き込んだ文字等の判別が容易になる。
【０００７】
これらにより日付、氏名、注意事項などといった任意の事項を薬材の管理者、使用者が速やかに自由に記載できるようになるので、特に薬剤に関する誤飲事故の抑止効果が期待される。
【図面の簡単な説明】
【０００８】
【図１】本発明の斜視図である。
【図２】本発明の正面図である。
【発明を実施するための形態】
【０００９】
以下、本発明を実施するための形態について説明する。
PTP包装シート（1）が包装するそれぞれの薬材（2）の位置ごとに、サインパネル（3）を印刷加工する。
なお、サインパネルとは、クレジットカード等の裏面に印刷加工された署名欄のことである。
本発明は、以上のような構造である。
これを使用するときは、サインパネル（3）部分に任意の事項を記載して使用する。
【符号の説明】
【００１０】
1  PTP包装シート
2  薬材
3  サインパネル
【図１】
2020029273.tif 000003
【図２】
2020029273.tif 000004
(57)【要約】      （修正有）【課題】液体積載量の増大を図り、液体の充填作業及び排出作業の効率化をはかり、作業の安全を確保し、コストダウンが可能なタンクトレーラー用タンクを提供する。【解決手段】内容量が１２０００リットルを超えるタンクトレーラー用タンク１であって、胴板部２を前記内容物を収容する長さに一本化し、内部に間隔を開けて防波板４を形成してなるタンクトレーラー用タンク、好ましくは、防波板の最下部に残液逃がし孔、最上部に通気孔及び下方部に通行孔を形成する。【選択図】図１
2020029263.tif 000002
【特許請求の範囲】
【請求項１】
内容量が１２，０００ルットルを超えるタンクトレーラー用タンクであって、胴板部が前記内容量を収容する長さに一本化され、内部に間隔を開けて防波板が形成されてなることを特徴とするタンクトレーラー用タンク。
【請求項２】
前記防波板の最下部に残液逃がし孔、最上部に通気孔及び下方部に通行孔を形成したことを特徴とする請求項１に記載のタンクトレーラー用タンク構造。
【請求項３】
前記防波板の外周端に分岐された複数の溶接部を形成したことを特徴とする請求項１又は２に記載のタンクトレーラー用タンク。
【発明の詳細な説明】
【技術分野】
【０００１】
本発明は、液体積載量の増大を図り、液体の充填作業及び排出作業の効率化を図り、作業の安全性を確保し、さらにコストダウンが可能なタンクトレーラー用タンクに関する。
【背景技術】
【０００２】
従来、液体積載量が１２，０００リットルを超えるタンクトレーラー用タンクを必要とする場合には、図４に示すように、一般に提供されている三つの隔室２０ａ、２０ｂ、２０ｃを有するタンク２０に一つの隔室のタンク２１を隣設し、該タンク２０とタンク２１との上下間を諸々の配管等２２によって連結及び連通させて積載容量の増大を図っている。図中、３は鏡板、４は防波板である。
【０００３】
前記構成のそれぞれのタンク２０及びタンク２１はそれぞれに胴板部２３と胴板部２４の両端にそれぞれ鏡板３を有する。そしてタンク２０と２１との上下間が諸々の配管等２２によって連結及び連通されて構成されている。
【発明の概要】
【発明が解決しようとする課題】
【０００４】
前記従来のタンクトレーラー用タンクによれば、液体積載量の増大を図ることが可能である。しかし、二つのタンクを連結及び連通した構成であるため、液体の充填作業及び排出作業に時間と手数を必要としている。特に、両タンクの残液の排出には時間と手数を必要としている。  
【０００５】
さらに、両タンクの上下間を連結及び連通する配管部の安全性の確保が必要とされる。また、製造に多くの部材を必要とし、製造にも手数を要するなどの問題を有する。  
【０００６】
本発明は、前記事情に鑑み、液体積載量の増大を図り、液体の充填作業及び排出作業の効率化を図り、作業の安全性を確保し、さらにコストダウンが可能なタンクトレーラー用タンクを提供することを目的とする。
【課題を解決するための手段】
【０００７】
前記課題を解決するため、本発明は、内容量が１２０００リットルを超えるタンクトレーラー用タンクであって、胴板部が前記内容量を収容する長さに一本化され、内部に間隔を開けて防波板を設けたことを特徴とする（請求項１）。  
【０００８】
前記本発明のタンクトレーラー用タンクによれば、予め、胴板部が１２０００リットルを超える内容量を収容する長さに一本化される。したがって、従来のように、別にタンクを追加する必要がない。さらに、前記両タンクの上下間を連結及び連通するための諸々の配管を省くことができる。したがって、コストダウンが可能であり、作業の安全性が確保される。さらに、液体の充填作業及び排出作業を効率的に行うことができる。  
【０００９】
本発明の実施の一形態は、前記防波板の最下部に残液逃がし孔、最上部に通気孔及び下方部に通行孔を形成したことを特徴とする（請求項２）。この実施の一形態によれば、胴板部の内部に間隔を開けて設けた防波板によって形成された隔室間の連通が十分であり、結果として、液体の充填作業及び排出作業を効率よく且つ安全性を確保して行うことができる。  
【００１０】
さらに、前記防波板によれば、タンクトレーラーの発進又は減速した際に防波板に加わる応力を減少させることができる。その他、タンク内面のロトフロン加工が一括可能である。  
【００１１】
本発明の実施の一形態は、前記防波板の外周端に分岐された複数の溶接部を形成したことを特徴とする（請求項３）。この実施の一形態によれば、胴板部に対する防波板の取り付けが強固になりタンクの耐久性を向上させられる。
【発明の効果】
【００１２】
本発明によれば、液体積載量の増大を図り、液体の充填作業及び排出作業を効率的に行うことができ、作業の安全性を確保し、さらにコストダウンの効果を得ることができる。
【図面の簡単な説明】
【００１３】
【図１】本発明の一実施例に係るタンクトレーラー用タンクの概略側面図である。
【図２】本発明の一実施例に係る防波板の正面図である。
【図３】本発明の一実施例に係る防波板の断面の模式図である。
【図４】従来例を示すタンクトレーラー用タンクの概略側面図である。
【発明を実施するための形態】
【００１４】
以下に、図面を参照して本発明を説明する。  
【００１５】
図１は、本発明の一実施例に係るタンクトレーラー用タンクの概略側面図である。本発明のタンク１は、胴板部２、鏡板３及び防波板４から構成される。図中、５はマンホール部の防護枠、６は前記タンク１を搭載するシャーシーである。  
【００１６】
本発明ではタンク１を構成する胴板部２が１２０００リットルを超える内容量を収容する長さに一本化される。そして、前記防波板４によって、隔室1 ａ、１ｂ、１ｃ及び１ｄが形成される。  
【００１７】
すなわち、従来のように、別のタンクを追加する必要がない。さらに、従来の両タンク上下間を連結及び連通するための諸々の配管等を必要としない。  
【００１８】
ちなみに、本発明において、液体１２０００リットル収容の場合の胴板部の長さは、約６０００ｍｍ、１７２００リットル収容の場合の胴板部の長さは、約７７６０ｍｍである。  
【００１９】
図２は、本発明の一実施例に係る防波板４の正面図である。該防波板４には、最下部に残液逃がし孔７、最上部に通気孔８及び下方部に通行孔９が形成されている。したがって、隔室間の連通が十分であり、結果として、液体の充填作業及び排出作業を効率よく行うことができる。  
【００２０】
図３は、一実施例に係る防波板の断面の模式図である。該防波板４には、その外周端に分岐された複数の溶接部１０、１０が形成されている。したがって、胴は板に対する防波板の取り付け部が強固になり、タンクの耐久性を向上させることができる。
【産業上の利用可能性】
【００２１】
本発明によれば、液体積載量の増大とともに、液体の充填作業及び排出作業を効率的に、作業の安全性を確保して行うことができタンクトレーラー用タンクとして有用である。
【符号の説明】
【００２２】
１    タンク  ２    胴板部  ３    鏡板  ４    防波板
【図１】
2020029263.tif 000003
【図２】
2020029263.tif 000004
【図３】
2020029263.tif 000005
【図４】
2020029263.tif 000006
(57)【要約】【課題】従来手摺りは、人の介助用に設けられていたが、物品をホルダーするなど幅広い活用を考えた。【解決手段】上端が開口した筒状のホルダー本体と、該ホルダー本体から下方に対向して突出する一対の挟持用脚部と、該各脚部に取着する滑り止めカバーとからなり、手摺りに上方から嵌着するものである。【選択図】図４
2020029760.tif 000002
【特許請求の範囲】
【請求項１】
上端が開口した筒状のホルダー本体と、該ホルダー本体から下方に対向して突出する一対の挟持用脚部と、該各脚部に取着する滑り止めカバーとからなり、手摺りに該一対の挟持用脚部を上方から嵌着するようにした手摺り取付型ホルダー。
【請求項２】
前記ホルダー本体は、平面視で円形、四角形、楕円形のいずれかである請求項１記載の手摺り取付型ホルダー。
【発明の詳細な説明】
【技術分野】
【０００１】  本発明は、例えばペットボトル、コップ等の物品を保持するため手摺りに上方から嵌着することで、両手を自由に使えるようにした手摺り取付型ホルダーに関する。
【背景技術】
【０００２】  従来、手摺りは廊下に沿って或いは部屋の中に設けてあり、介助用又は危険防止のためのものであって、物品を保持するために利用することはみられなかった。
【先行技術文献】
【特許文献】
【０００３】
【特許文献１】見いだせず。
【発明の概要】
【発明が解決しようとする課題】
【０００４】  このように手摺りは、歩行時の補助又は安全性を考慮して設置されているものであり、室内に於いてコップやボトル等を保持したり、小物などを入れたりするホルダーを支持するといった使い方はなかった。
【課題を解決するための手段】
【０００５】  上述した課題を解決するために構成した請求項１にかかる発明の手段は、上端が開口１Ａした筒状のホルダー本体１と、該ホルダー本体１から下方に対向して突出する一対の挟持用脚部２と、該各脚部２に取着する滑り止めカバー３とからなり、手摺りに該一対の挟持用脚部を上方から嵌着するようにしたものからなる。【０００６】  請求項２にかかる発明の手段は、前記ホルダー本体１は、平面視で円形、四角形、楕円形のいずれかである。
【発明の効果】
【０００７】  本発明は、上記の如く構成したから下記の諸効果を奏する。
（１）ホルダー本体から下方に対向して突出する一対の狭持用脚部を手摺りに上方から嵌      着するように差し込むので、ホルダーは簡単に手摺りに取り付けることが出来る。
（２）ホルダー本体の一対の狭持用脚部には滑り止めカバーを取着してあるので、手摺り      に対してずれることがなくしっかり固定できる。
（３）嵌着したホルダー本体に紙コップ、ボトルなどを保持するようにしたから、コップ      の飲み物をこぼしたりする心配がないし、持ち歩く不便さもない。また身近な小物      などもいれることもできるので、手も塞がらず利便性が高い。
【図面の簡単な説明】
【０００８】
【図１】本発明の実施の形態に係る手摺り取付型ホルダーの外観図である。
【図２】手摺り取付型ホルダーの平面図である
【図３】手摺り取付型ホルダーの正面図である
【図４】手摺り取付型ホルダーの使用状態図である
【発明を実施するための形態】
【０００９】  図１に基付いて本発明の実施の形態について説明する。手摺り取付型ホルダーを形成するためのホルダー本体１は、硬質のプラスチックで上端が開口１Ａした、底の無い筒状としたものである。
【００１０】  ホルダー本体１から下方に対向して一対の挟持用脚部２、２が突出させてある。そして、該各挟持用脚部２にはシリコンゴム等の滑り止めのカバー３を取り付けてあり、手摺りの上方から嵌着する。
【００１１】  嵌着した手摺り取付型ホルダーの筒状のホルダー本体１内に、例えば飲み物用コップやペットボトル、又必要な小物などを入れて有効に利用することが出来る。そして、挟持用脚部２には滑り止めカバー３を設けてあるから物品を確実に保持することができる。
【符号の説明】
【００１２】１  ホルダー本体
１Ａ  開口
２  挟持用脚部
３  滑り止めカバー
【図１】
2020029760.tif 000003
【図２】
2020029760.tif 000004
【図３】
2020029760.tif 000005
【図４】
2020029760.tif 000006
(57)【要約】      （修正有）【課題】画鋲を使って掲示物を壁に貼るときに、使いやすいように画鋲を手の甲に付けておくことのできる画鋲保持バンドを提供する。【解決手段】シリコンバンド１の上に磁石２を設け、その上にシリコンカバー３を設けることを特徴とする。【選択図】図１
2020029081.tif 000002
【特許請求の範囲】
【請求項１】
シリコンバンド（１）の上に磁石（２）を設け、その上にシリコンカバー（３）を設けた画鋲保持バンド。
【発明の詳細な説明】
【技術分野】
【０００１】  本発明は、画鋲を使って掲示物を壁に貼るときに、使いやすいように画鋲を手の甲に付けておくことのできる画鋲保持バンドに関するものである。
【背景技術】
【０００２】  従来、画鋲は画鋲ケースに入っており、そこから画鋲を取り出してつかっていた。
【先行技術文献】
【特許文献】
【０００３】
【特許文献１】
【発明の概要】
【発明が解決しようとする課題】
【０００４】        これは次のような欠点があった。
（イ）従来、画鋲を使って掲示物を壁に貼るとき、画鋲を手に持ってなければならず、一      方の手は掲示物を十分に固定できるが画鋲を持つもう一方の手では十分に掲示物を      固定することができなかった。
（ロ）画鋲を手に持つと手に刺さるために痛く、その量もあまり多くは持てなかった。
（ハ）高い所に掲示しなくてはならないとき、画鋲ケースを持って台に乗らなくてはいけ      ない。画鋲ケース手に持っていると片手が使えず、画鋲ケースを下に置いておくと      不便であった。
本発明は、以上のような欠点をなくすためになされたものである。
【課題を解決するための手段】
【０００５】  シリコンバンド（１）の上に磁石（２）を設け、その上にシリコンカバー（３）を設ける。
本発明は、以上のような構成よりなる画鋲保持バンドである。
【発明の効果】
【０００６】（イ）画鋲を手に持つと痛く、その数も多くないが、シリコンバンド（１）で保護された      手の甲に大量に保持しておくことができる。
（ロ）磁石（２）に画鋲または画鋲ケースをつけているため逆さまにしても落ちない。
（ハ）シリコンバンド（１）で手の甲に巻きついているため、指先を自由に使うことがで      きる。
（ニ）落とした画鋲も磁石（２）の力で拾うことができる。
（ホ）画鋲を片付けるときはシリコンカバー（３）で一括して磁石（２）から引き離すこ      とができる。
【図面の簡単な説明】
【０００７】
【図１】本発明の斜視図である。
【図２】本発明の平面図である。
【発明を実施するための形態】
【０００８】以下、発明を実施するための形態について説明する。
シリコンバンド（１）を手の甲を覆うように形成し、その上に磁石（２）を設ける。その磁石を覆うようにシリコンカバー（３）を設ける。シリコンバンド（１）とシリコンカバー（３）は接着されたものではなく、形成時から一体である。
本発明は、以上のような構造である。
本発明を使用するときは、シリコンバンド（１）を磁石（２）が手の甲にくるよう掌にはめる。磁石（２）の力によってシリコンカバー（３）の上に画鋲または画鋲ケースを保持し、掲示物を壁などに貼る時に利用する。
画鋲を手に持つよりも大量に保持することができ、画鋲が刺さる心配もない。掲示物を貼る時に両手を使うことができる。落とした画鋲を拾う際に磁石（２）を近づけるだけで容易に拾うことができる。シリコンバンド（３）を引き離すことで磁石（２）にくっついている画鋲を片付けることができる。
【符号の説明】
【０００９】  １  シリコンバンド
２  磁石
３  シリコンカバー
【図１】
2020029081.tif 000003
【図２】
2020029081.tif 000004
(57)【要約】      （修正有）【課題】どこにでもほこりはあるものであり、このほこりに対して開口したティッシュには従来は何も対応策はなかった。このティッシュにほこりがつかないようにしたティッシュ入れを提供する。【解決手段】ティッシュ入れをティッシュ箱と箱から出ているティッシュに触れないような大きさのふた１と容器２にする。構成は、ふた１と容器２の一面を一体にし、他の三面をティッシュ箱より少し下の高さで切り離し一体面はふた１の外側へ折り返すようにする。面積をティッシュ箱が少し緩めに入る程度にし、ふた１の深さをティッシュ箱から出ているティッシュに触れないようにする。【選択図】図１
2020029306.tif 000002
【特許請求の範囲】
【請求項１】
ティッシュ箱を入れた容器に箱から出ているティッシュに触れないような大きさのふたを容易に開閉できるようにしたティッシュ入れ
【発明の詳細な説明】
【技術分野】
【０００１】本案は開口したティッシュにほこりがつかないようにしたものである。
【背景技術】
【０００２】開口したティッシュにはほこりに対する対応策はない。
【先行技術文献】
【特許文献】
【０００３】
【特許文献１】
【発明の概要】
【発明が解決しようとする課題】
【０００４】開口したティッシュにほこりがつかないようにする。
【課題を解決するための手段】
【０００５】開口したティッシュを入れる容器に開閉が容易でティッシュに触れないようにした蓋をする。
【発明の効果】
【０００６】ほこりのつかないティッシュを使うことができる。
【図面の簡単な説明】
【０００７】
【図１】ふたと容器を一体にした本案の斜視図である。
【図２】使用状態の本案の斜視図である。
【図３】ふたと容器を別にした本案の斜視図である。
【図４】突出し部を設けた本案の斜視図である。
【発明を実施するための形態】
【０００８】どこにでもほこりはあるものであり、このほこりに対して開口したティッシュには従来は何も対応策はなかった。本案はこのティッシュにほこりがつかないようにしたものである。
実施例１、ふたと容器の一面を一体にし、他の三面をティッシュ箱より少し下の高さで切り離し一体面はふたの外側へ折り返すようにする。面積をティッシュ箱が少し緩めに入る程度にし、ふたの深さをティッシュ箱から出ているティッシュに触れないようにする。ふたが隙間なく締まるように折り返しと反対側に重しをつけてもよい。
実施例２、一体面を他と同じく切り離し折り返しの代わりに接着や連結部を設ける。連結部はいろいろのばねなどや他を用いて‐ふたがティッシュを取り出した後ゆっくりと自動的に戻るようにする。この方法は片手で取り出したティッシュがどこにも触れないで済む。また、ティッシュ箱を持ちやすいように突出し部を設けてもよい。また、ふたを開けるときのためにふたの上面につまみを設けてもよい。また、本案のティッシュ入れはふたと容器の接合面に隙間がないようにして変形にしたり飾りがあったりしてもよい。
【符号の説明】
【０００９】１ふた
２容器
３折り返し
４ティッシュ箱
５連結部
６突出し部
【図１】
2020029306.tif 000003
【図２】
2020029306.tif 000004
【図３】
2020029306.tif 000005
【図４】
2020029306.tif 000006
(57)【要約】【課題】歯科矯正治療において歯の動きを速めるとき、骨を削るといった外科処置をしなくてもすむ、飲むだけでいいサプリメントを提供する。【解決手段】ビタミンＣと卵殻膜をおよそ１：１０の割合で混ぜた、歯科矯正治療の歯の動きを速めるサプリメントを特徴とする。【選択図】図１
2020029445.tif 000002
【特許請求の範囲】
【請求項１】
ビタミンＣと卵殻膜（ＩＩＩ型コラーゲン）をおよそ１：１０の割合で混ぜた、歯科矯正治療において治療を速めるサプリメント。
【発明の詳細な説明】
【技術分野】
【０００１】  この発明は、ビタミンＣと卵殻膜をおよそ１：１０の割合で混ぜた、歯科矯正治療の歯の動きを速めるサプリメントに関するものである。コラーゲン合成に関与するビタミンＣとの相乗効果によって、歯根膜の牽引側と圧迫側にＩＩＩ型コラーゲンがより多く発生する。牽引側ではＩＩＩ型コラーゲンが創傷治癒を速める。圧迫側ではＩＩＩ型コラーゲンが骨を溶かす破骨細胞の足場となり、増殖した破骨細胞によって骨吸収が促進される。従って、歯の移動が速くなる。
【背景技術】
【０００２】  従来、歯科矯正治療において歯の動きを速める方法は、コルチコトミーという皮質骨に切開を加える浸潤性の高い方法が主流だった。
【発明の開示】
【発明が解決しようとする課題】
【０００３】  これは、次のような欠点があった。
骨を削るといった外科処置は患者の負担も大きく、コストもかかった。また、感染のリスクもあった。
本発明は、以上のような欠点をなくすためになされたものである。
【問題を解決するための手段】
【０００４】  ビタミンＣと卵殻膜をおよそ１：１０の割合で混ぜ、各々約０．１％、１％の濃度になるように液体に溶かす。あるいは液体に溶かさずに摂取する。
本発明は、以上の構成よりなる歯科矯正治療において歯の動きを速めるサプリメントである。
【発明の効果】
【０００５】  サプリメントのように飲むだけで歯科矯正治療における歯の動きが活性化されるので、外科処置という浸潤性の高い方法をとらなくてもすむ。
【発明を実施するための最良の形態】
【０００６】以下、本発明を実施するための最良の形態である。
ビタミンＣを約０．１％の濃度になるように水に溶かす。続けて約１％の濃度になるように卵殻膜を加えて溶かす。
本発明は、以上のような構造である。
あとはサプリメントとして飲めばよい。
ビタミンＣと卵殻膜、水の混ぜ方は順番が異なってもいい。水以外のもので溶かしてもいいし、液体に溶かさなくてもいい。
【図面の簡単な説明】
【０００７】
【図１】  本発明の効果を示したグラフ（動物実験）である。
【図２】  本発明の効果を示した組織像（動物実験）である。
【符号の説明】
【０００８】１    対照群（７５ｇ牽引側）
２    対照群（７５ｇ圧迫側）
３    対照群（７５ｇ圧迫側）
４    実験群（７５ｇ牽引側）
５    実験群（７５ｇ圧迫側）
６    実験群（７５ｇ圧迫側）
７    対照群（２５ｇ牽引側）
８    対照群（２５ｇ圧迫側）
９    対照群（２５ｇ圧迫側）
１０  実験群（２５ｇ牽引側）
１１  実験群（２５ｇ圧迫側）
１２  実験群（２５ｇ圧迫側）
Ａ    歯根
Ｂ    骨
Ｃ    歯根膜
【図１】
2020029445.tif 000003
【図２】
2020029445.tif 000004